(57)【特許請求の範囲】
【請求項１】
被清掃面に対向して開口した吸込口を有する吸込具本体と、
前記吸込具本体に回転自在に設けられ、前記吸込口から被清掃面の塵埃を掻き出す回転ブラシと、
前記吸込具本体の内部に設けられ、前記回転ブラシを駆動させる電動機と、
前記電動機の駆動力を前記回転ブラシに伝達するベルト部と、
前記吸込具本体の底面部に着脱自在に設けられ、前記吸込口を構成したブラシカバーと、前記ブラシカバーに設けられ、前記吸込口の全周を囲む外壁部と、
前記ブラシカバーの端部に設けられ、ベルト部を外部から保護する蓋部と、
被清掃面側で前記外壁部の内側と前記蓋部との間に形成した溝と、を備え、
前記蓋部は、ベルト部の形状に合わせ円弧状に形成し、蓋部とベルト部との隙間を小さくすることで、溝の空間を広く構成し、
前記溝が、被清掃面との間で空気が流れる空間通路を形成し、この空間通路に吸引気流が流れるようにした電気掃除機用吸込具。
【請求項２】
吸引風を発する電動送風機を内蔵した掃除機本体に、請求項１に記載の電気掃除機用吸込具を連通させた電気掃除機。
【発明の詳細な説明】
【技術分野】
【０００１】
本発明は、電気掃除機に用いられる電気掃除機用吸込具に関するものである。
【背景技術】
【０００２】
従来、電気掃除機用吸込具は、電動機等で回転ブラシを回転駆動し、被清掃面に対面した吸込口から塵埃を吸引するものがあり、この種の電気掃除機用吸込具は、回転ブラシに動力を伝達するためのベルトや、プーリー等を配置するスペースが吸込口の端部に必要となるため、電気掃除機用吸込具の幅方向全体に吸込口を設けることができず、吸込口の端部では被清掃面の塵埃を除去することが困難であった。
【０００３】
そこで、吸込具の下面の両端部に固定刷毛を配置することで、吸込口の端部の塵埃を除去するものがあった（例えば、特許文献１参照）。
【先行技術文献】
【特許文献】
【０００４】
【特許文献１】特開２０１１−３６４４５号公報
【発明の概要】
【発明が解決しようとする課題】
【０００５】
しかしながら、前記従来の構成では、吸込口の端部の塵埃を吸引力で吸塵するものではないため、塵埃の除去性能が低く、かつ、固定刷毛を配置するために部品点数が増え、コスト高になるという課題があった。
【０００６】
本発明は、前記従来の課題を解決するもので、電動機等の動力源により回転する回転ブラシを備えた電気掃除機用吸込具において、ベルトやプーリー等の配置スペースを確保しつつ、吸込具本体の幅方向の端部まで吸込口を拡張でき、安価に吸込具本体の端部まで被清掃面の塵埃を除去できるように清掃効率を向上させた電気掃除機用吸込具を提供することを目的とする。
【課題を解決するための手段】
【０００７】
前記従来の課題を解決するために、本発明の電気掃除機用吸込具は、被清掃面に対向して開口した吸込口を有する吸込具本体と、前記吸込具本体に回転自在に設けられ、前記吸込口から被清掃面の塵埃を掻き出す回転ブラシと、前記吸込具本体の内部に設けられ、前記回転ブラシを駆動させる電動機と、前記電動機の駆動力を前記回転ブラシに伝達するベルト部と、前記吸込具本体の底面部に着脱自在に設けられ、前記吸込口を構成したブラシカバーと、前記ブラシカバーに設けられ、前記吸込口の全周を囲む外壁部と、前記ブラシカバーの端部に設けられ、ベルト部を外部から保護する蓋部と、被清掃面側で前記外壁部
の内側と前記蓋部との間に形成した溝と、を備え、
前記蓋部は、ベルト部の形状に合わせ円弧状に形成し、蓋部とベルト部との隙間を小さくすることで、溝の空間を広く構成し、
前記溝により、被清掃面との間で空気が流れる空間通路を形成したものである。
【０００８】
これにより、溝から形成した空間通路に吸引気流が流れることで、部品の追加をすることなく蓋部の下方に存在する被清掃面上の塵埃を吸引できるようになり、吸込具本体の幅方向の端部まで吸込口を拡張でき、吸込具本体の端部まで被清掃面の塵埃を除去することができる。また、蓋部は、ベルト部の形状に合わせ円弧状に形成し、蓋部とベルト部との隙間を小さくすることで、溝の空間を広く構成することで、溝をベルト部と干渉することなく広げることができ、溝への吸引気流がより流れやすくなるため、清掃効率をより高めることができる。
【発明の効果】
【０００９】
本発明の電気掃除機用吸込具は、電動機等で駆動するものにおいて、ベルト部を保護す
るブラシカバーの蓋部に溝を配置し吸引気流を流すことで、ベルトやプーリー等の配置スペースを確保しつつ、安価に吸込具の吸込口端部まで被清掃面の塵埃を除去できるような清掃効率の良い電気掃除機用吸込具を実現することができる。
【図面の簡単な説明】
【００１０】
【図１】本発明の実施の形態１における電気掃除機用吸込具を備えた電気掃除機の外観正面図
【図２】同、電気掃除機用吸込具からブラシカバーを外した状態を示す平面図
【図３】同、電気掃除機用吸込具にブラシカバーを装着した状態を示す平面図
【図４】同、電気掃除機用吸込具のブラシカバーを裏側から見た平面図
【図５】同、電気掃除機用吸込具のブラシカバーにおける蓋部の溝形状を説明する図３のＡ部拡大図
【図６】同、電気掃除機用吸込具のブラシカバーにおける蓋部の断面形状を説明する図３のＢ−Ｂ線側から見た断面図
【図７】同、電気掃除機用吸込具のブラシカバーにおける蓋部の断面形状を説明する図３のＣ−Ｃ線側から見た断面図
【発明を実施するための形態】
【００１１】
第１の発明は、被清掃面に対向して開口した吸込口を有する吸込具本体と、前記吸込具本体に回転自在に設けられ、前記吸込口から被清掃面の塵埃を掻き出す回転ブラシと、前記吸込具本体の内部に設けられ、前記回転ブラシを駆動させる電動機と、前記電動機の駆動力を前記回転ブラシに伝達するベルト部と、前記吸込具本体の底面部に着脱自在に設けられ、前記吸込口を構成したブラシカバーと、前記ブラシカバーに設けられ、前記吸込口の全周を囲む外壁部と、前記ブラシカバーの端部に設けられ、ベルト部を外部から保護する蓋部と、被清掃面側で前記外壁部の内側と前記蓋部との間に形成した溝と、を備え、
前記蓋部は、ベルト部の形状に合わせ円弧状に形成し、蓋部とベルト部との隙間を小さくすることで、溝の空間を広く構成し、
前記溝により、被清掃面との間で空気が流れる空間通路を形成したことにより、溝から形成した空間通路に吸引気流が流れることで、部品の追加をすることなく蓋部の下方に存在する被清掃面上の塵埃を吸引できるようになり、吸込具本体の幅方向の端部まで吸込口を拡張でき、吸込具本体の端部まで被清掃面の塵埃を除去することができる。
また、蓋部は、ベルト部の形状に合わせ円弧状に形成し、蓋部とベルト部との隙間を小さくすることで、溝の空間を広く構成することで、溝をベルト部と干渉することなく広げることができ、溝への吸引気流がより流れやすくなるため、清掃効率をより高めることができる。
【００１２】
第２の発明は、特に、第１の発明の蓋部は、ベルト部の形状に合わせ円弧状に形成し、蓋部とベルト部との隙間を小さくすることで、溝の空間を広く構成することで、溝をベルト部と干渉することなく広げることができ、溝への吸引気流がより流れやすくなるため、清掃効率をより高めることができる。
【００１３】
第２の発明は、特に、第１の発明の電気掃除機用吸込具を、吸引風を発する
電動送風機を内蔵した掃除機本体に連通させることで、被清掃面の壁隅部まで集塵できる集塵性能に優れた電気掃除機を提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電気掃除機用吸込具を備えた電気掃除機の外観正面図である。
【００１６】
図１に示すように、掃除機本体３は、吸引気流を発生させるための電動送風機（図示せず）を内蔵すると共に集塵室２を備え、掃除機本体３の下部に電気掃除機用吸込具（以下、吸込具本体と称す）１が配置されている。
【００１７】
図２は、吸込具本体１からブラシカバー１７を外した状態を示す平面図であり、図３は、ブラシカバー１７の蓋部１６の部分拡大図であり、図４は、ブラシカバー１７を裏側から見た平面図であり、図５は、ブラシカバー１７における蓋部１６の部分拡大図である。
【００１８】
図２および図３に示すように、吸込具本体１は、塵埃を吸込むための吸込口１０を有し、内部に塵埃を掻き出すためのブラシ１１ａを備えた回転ブラシ１１と回転ブラシ１１を駆動するための電動機（図示せず）と前記電動機からの駆動力を回転ブラシ１１へ伝達するためのベルト部１２を備えている。
【００１９】
吸込具本体１の底面側には、回転ブラシ１１を取り外して塵埃の絡みつき等のメンテナンスができるように着脱自在に装着できるブラシカバー１７が設けられている。
【００２０】
図２に示すようにブラシカバー１７を、吸込具本体１の底面側に露出した回転ブラシ１１に対し、上から覆うように装着することで、図３に示した装着後の状態となる。
【００２１】
また、図３に示すように、ブラシカバー１７は、吸込具本体１の吸込口１０を形成しており、この吸込口１０の全周を取り囲むように外壁部１８が配置され、さらに外壁部１８の被清掃面に対向する側の面は、全周同一高さの平面となっている。
【００２２】
つまり、図５に示すように、吸込具本体１の前側の外壁部１８ａと、吸込具本体１の後ろ側の外壁部１８ｃと、吸込具本体１の左右両側の外壁部１８ｂとは同一高さで繋がった平面となっており、この同一高さで繋がった平面を有する外壁部１８で囲まれた内側が、吸込具本体１の吸込口１０を構成している。
【００２３】
また、図２および図３に示すように、ブラシカバー１７の右端部分には、ベルト部１２に外部から触れないように保護する部分として、蓋部１６が設けられている。
【００２４】
そして、ブラシカバー１７を内側から見た図４に示すように、蓋部１６の裏面の内側には、回転ブラシ１１側とベルト部１２側との境界を区画する壁部１５が設けられている。
【００２５】
さらに図３に示すように、ブラシカバー１７の前方には、前ローラー２０が設けられ、吸込具本体１の底面側の後方には、後ローラー２１が設けられ、吸込具本体１を被清掃面に置いた際に、前ローラー２０と後ローラー２１が被清掃面に接地することで、吸込具本体１の底面と被清掃面との間の隙間が最小となる部分、すなわち被清掃面に対面する前記外壁部１８の平面と被清掃面との間の隙間が所定の隙間となるようにしている。この所定の隙間は、吸込具本体１の底面が被清掃面へ接触して傷付けない様、０．５ｍｍ〜１．５ｍｍに設定している。
【００２６】
次に、図５、図６、図７を用いて、蓋部１６と外壁部１８との間に設けた溝１９について説明する。
【００２７】
図５は、ブラシカバー１７における蓋部１６の部分拡大図であり、図６は、蓋部１６の断面形状を説明する図４のＢ−Ｂ線側から見た断面図であり、図７は、蓋部１６の断面形状を説明する図４のＣ−Ｃ線側から見た断面図である。
【００２８】
図５、図６、図７に示すように、蓋部１６と外壁部１８との間には溝１９が形成され、この溝１９は、図６の断面図で示される溝１９ａと溝１９ｃおよび図７の断面図で示される溝１９ｂとが略コの字状に繋がって構成されている。そしてこの溝１９の深さ、すなわち溝１９の底部の位置は、外壁部１８の被清掃面に対向する側の面を基準に、高さ方向（被清掃面と鉛直方向）で３ｍｍ〜８ｍｍの間で設定している。
【００２９】
また、図６の断面図に示されるように、蓋部１６の断面形状をベルト部１２の円弧に合わせ、必要最低限の隙間設定にした円弧状に構成することで、蓋部１６の円弧面１６ａ、円弧面１６ｃと外壁部１８の鉛直面との間で空間ができ、この空間が溝１９ａ、溝１９ｃとなっている。
【００３０】
また、図７の断面図に示されるように、蓋部１６の外壁部１８ｂの鉛直面近傍に空間ができるように、蓋部１６に被清掃面から離反する方向に傾斜面１６ｂを設けることで、溝１９ｂが形成されている。
【００３１】
以上のように構成された本実施の形態における電気掃除機用吸込具について、以下その動作、作用を説明する。
【００３２】
吸込具本体１を被清掃面に置いた状態で、電気掃除機の運転を開始すると、吸込具本体１内の電動機（図示せず）の駆動により回転ブラシ１１が回転し、これにより掻き揚げられた塵埃は、電動送風機（図示せず）の吸引力により集塵室２内に吸引され捕集される。
【００３３】
その際、吸込具本体１内に流れる吸引気流は、吸込具本体１底部にある外壁部１８と被清掃面との前記所定の隙間を通って吸込口１０へ流れ込む。
【００３４】
吸込口１０に入り込んだ吸引気流は、蓋部１６に設けた溝１９を通り、回転ブラシ１１側へ流れる。そのため、この溝１９を流れる吸引気流が、蓋部１６の下方に存在する被清掃面上の塵埃を回転ブラシ１１側へ流す作用をし、蓋部１６部分も吸込口１０としての機能を果たすことができる。
【００３５】
つまり、蓋部１６に設けた溝１９ａと溝１９ｂと溝１９ｃとを略コの字状に繋げて構成さした溝１９が、被清掃面との間で、空気が流れる空間通路を形成し、この空間通路に吸引気流が流れることで、蓋部１６の下方に存在する被清掃面上の塵埃を回転ブラシ１１側へ流すことができるものである。
【００３６】
これにより、吸込具本体１の幅方向の端部まで吸込口１０を拡張でき、吸込具本体１の端部まで被清掃面の塵埃を除去することが可能となる。
【００３７】
また、この溝１９の底部の位置は、外壁部１８の被清掃面に対向する側の面を基準に、高さ方向（被清掃面と鉛直方向）で３ｍｍ〜８ｍｍの間で設定することで、蓋部１６の下方に存在する被清掃面上の塵埃を効果的に回転ブラシ１１側へ流すことができるものである。
【００３８】
また、図６の断面図に示されるように、蓋部１６の断面形状をベルト部１２の円弧に合わせ、必要最低限の隙間設定にした円弧状の円弧面１６ａ、円弧面１６ｃを有する構成にすることで、蓋部１６の内面をベルト部１２に干渉させることなく、溝１９ａ、溝１９ｃの空間を広げることができるため、溝１９ａ、溝１９ｃに流れる吸引気流をさらに増大させることができる。
【産業上の利用可能性】
【００３９】
以上のように、本発明にかかる電気掃除機用吸込具およびそれを用いた電気掃除機は、安価な構成で吸込具本体の端部まで被清掃面の塵埃を除去できる清掃効率の良い電気掃除機用吸込具を提供できるため、家庭用電気掃除機及び産業用電気掃除機の分野・用途に好適に適用することができる。
【符号の説明】
【００４０】
１  吸込具本体
２  集塵室
３  掃除機本体
１０  吸込口
１１  回転ブラシ
１２  ベルト部
１５  壁部
１６  蓋部
１６ａ、１６ｃ  円弧面
１６ｂ  傾斜面
１７  ブラシカバー
１８  外壁部
１９  溝
【図１】
0006357645.tif 000002
【図２】
0006357645.tif 000003
【図３】
0006357645.tif 000004
【図４】
0006357645.tif 000005
【図５】
0006357645.tif 000006
【図６】
0006357645.tif 000007
【図７】
0006357645.tif 000008